(57)【要約】【課題】グラウンドゴルフの競技において、ホール間の移動時のクラブの移動（持ち運び）を容易にする。【解決手段】クラブのヘッドを出し入れ可能な開口部と前記ヘッドを収納可能な収納空間を設けて、ヘッドを開口部から収納空間まで押込むとヘッドが収納空間に収容され、その状態でクラブを引きずって移動しても、ヘッドが損傷しないようにした。或いは、ヘッドが収納空間に収容した状態でクラブのシャフトを引くと、カバー本体に取付けた車輪が回転してクラブを移動できるようにした。【選択図】図１
2010268851.tif 000002
【特許請求の範囲】
【請求項１】
グラウンドゴルフ、ゲートボール又はゴルフで使用するクラブにカバーして、それらクラブを移動可能なクラブカバーであって、クラブのヘッドを出し入れ可能な開口部と、前記ヘッドを収納可能な収納空間を有するカバー本体を備えたことを特徴とするクラブカバー。
【請求項２】
グラウンドゴルフ、ゲートボール又はゴルフで使用するクラブにカバーして、それらクラブを移動可能なクラブカバーであって、クラブのヘッドを出し入れ可能な開口部と、前記ヘッドを収納可能な収納空間を有するカバー本体に、底面に突出する車輪を備えたことを特徴とするクラブカバー。
【請求項３】
請求項１又は請求項２記載のクラブカバーにおいて、
カバー本体に踏み部を備え、踏み部を踏むことでカバー本体が地面や床面に固定されることを特徴とするクラブカバー。
【発明の詳細な説明】
【技術分野】
【０００１】
本願発明は、グラウンドゴルフ用のクラブ、通常のゴルフ用クラブ、ゲートボール用スティック（以下これらをまとめて「クラブ」という。）の保護と移動（持ち運び）に便利なクラブカバーであり、プレイヤーが競技や練習でコースをラウンドするときに、クラブを引きずって歩いてもヘッドが損傷せず、移動も容易なクラブカバーに関するものである。
【背景技術】
【０００２】
ゴルフやグラウンドゴルフあるいはゲートボールは、幅広い年齢層が楽しむスポーツであり、我が国でも人気のあるスポーツの一つである。なかでもグラウンドゴルフは昭和５７年に鳥取県で発案された我が国発祥のスポーツであり、その親近感とともに気軽に楽しめるところから特に高齢者に人気がある。
【０００３】
グラウンドゴルフは、クラブとボールとホールポストを使用するスポーツであり、言うまでもなくこの競技を楽しむ者にとってクラブは重要な道具である。そこで、例えば特許文献１では、クラブを保管し容易に運搬できる収納具が提案されている。
【先行技術文献】
【特許文献】
【０００４】
【特許文献１】特開２００２−６５９２７号公報
【発明の概要】
【発明が解決しようとする課題】
【０００５】
グラウンドゴルフは、通常のゴルフ（以下単に「ゴルフ」という。）とは異なり通常１本のクラブのみを使い、８〜２０ホールを回って競技するスポーツである。競技中は、ホール間を移動するなど比較的長い距離を歩くことになるが、その際、ゴルフのように複数本のクラブをキャディーバッグに入れて移動することはなく１本のクラブを手に持って移動する。加えて、グラウンドゴルフに用いるクラブはゴルフクラブより重く（ゴルフクラブが３００ｇ程度に対してグラウンドゴルフのクラブは６００ｇ程度）、そのため高齢の競技者にとっては競技中にクラブを持っての移動は体力的な負担となっている。特許文献１は、構造を簡素にして、携行に適する軽量の収納器を実現することを目的としているが、シャフトを含むクラブ全体を収納し、さらには複数のボールも収納できるものであるため、大型で重く、競技中にクラブの移動に十分な軽量、携行容易とは言い難い。
【０００６】
本願発明の課題は、競技中にプレイヤーが移動する際、プレイヤーの体力的な負担を緩和すべく、容易にクラブを運搬（移動）させることができ、クラブヘッドを保護する機能を備えて、移動中のクラブの損傷を防止することができるクラブカバーを提供することにある。
【課題を解決するための手段】
【０００７】
本願発明のクラブカバーは、グラウンドゴルフ、ゲートボール又はゴルフで使用するクラブのヘッドを出し入れ可能な開口部と、前記ヘッドを収納可能（ヘッドに被せることが可能）な収容空間を有し、開口部と収容空間は連通して開口部から押し込んだヘッドが収容空間に収容されるようにしてある。クラブカバーには車輪を取付けて、収容空間内にヘッドを収容したクラブのシャフトやグリップを手で握って歩行するとその車輪が回転してクラブカバーに収容された（クラブカバーを被せた）クラブを容易に移動することができる。
【０００８】
本願発明のクラブカバーは、踏み部を設け、この踏み部を足で踏んでクラブカバーを地面、床等に固定することにより、クラブカバーの収容空間へのヘッドの出し入れを容易にすることもできる。
【発明の効果】
【０００９】
本願発明のクラブカバーは次のような効果がある。
（１）クラブのヘッドを押し込むだけでヘッドを収容する（ヘッドに被せる）事が出来るので、ヘッドを収容した（ヘッドに被せた）状態でクラブを引きずってもヘッドが損傷せず、ホール間の歩行時にクラブを手で持つ必要が無く、クラブの持ち運び（移動）が容易になる。
（２）車輪を取付けた場合は、ヘッドを収納空間に収納してクラブを引けば車輪が回転してクラブカバーが移動するので、クラブの移動がより一層容易になる。
（３）クラブのヘッドを出し入れ可能な開口部を備えているので、収納空間へのヘッドの出し入れが容易になる。
（４）クラブカバーが、ヘッドを収容できる大きさであればよいため小型化でき、携行や収納の邪魔になりにくいものとなる。
（５）踏み部を備えているので、踏み部を足で踏んでクラブカバーを地面や床に押し付ければ、クラブカバーの底に車輪が出ていてもクラブカバーが安定するため、ヘッドの出し入れがし易くなる。
【図面の簡単な説明】
【００１０】
【図１】本願発明のクラブカバーにクラブヘッドを出し入れする態様を示す斜視図。
【図２】本願発明の車輪付きクラブカバーにクラブヘッドを出し入れする態様を示す斜視図。
【図３】本願発明のクラブカバーの一例を示す斜視図。
【図４】図２のクラブカバーの正面図。
【図５】本願発明の車輪付きクラブカバーの他例であり、球状の車輪を取り付けた実施形態の斜視図。
【図６】図５のクラブカバーの正面図。
【発明を実施するための形態】
【００１１】
（実施形態１）
本願発明のクラブカバーの一実施形態を図に基づいて説明する。以下の実施形態ではグラウンドゴルフのクラブ用を例に挙げて説明しているが、ゴルフクラブやゲートボールのスティック用であっても基本構成は同様であり、形状、サイズが収容するクラブやスティックの形状に合わせて変わる程度である。
【００１２】
図１は本願発明のクラブカバー１からグラウンドゴルフのクラブ２を出し入れする態様を示す斜視図である。グラウンドゴルフは８〜２０ホールを回るスポーツで、通常は１本のクラブを使って全ホールをラウンドする。そのため、各ホール間を移動する際にわざわざクラブ２をキャリーバッグに入れることはなく、競技者がクラブ２を手で持って移動している。
【００１３】
グラウンドゴルフのクラブ２は、ボールを打つためのヘッド３と、シャフト４と、プレイヤーが握るためのグリップ５からなり、シャフト４やグリップ５の構造はゴルフクラブと大差ないが、ヘッド３の形状はゴルフクラブとは異なり、ルール上その打面に傾斜をつけられない。ゴルフクラブの重量が通常３００ｇ程度であるのに対して、グラウンドゴルフのクラブ２の重量は６００ｇを超えるものもあり、これを持って長距離歩行するのは高齢者にとっては体力的負担が大きい。本願発明のクラブカバー１を用いればクラブ２を引きながら移動できるので非常に楽であり体力的負担も軽減する。
【００１４】
クラブカバー１はヘッド３の出し入れを容易にする開口部８とヘッド３を収容するための収容空間９を備えている。図１は開口部８をカバーの上部に開口した例であり、ヘッド３を上方から開口部８に押し込んで収容空間９まで押し込むことができ、収容空間９内のヘッドを開口部８から上方に引き出すことができる。
【００１５】
クラブカバー１の形状はヘッド３の全体をカバーできる舟形にしてあり、開口部８の口縁部１０を外側広がりにしてヘッド３を押し込み易くし、収容空間９の幅をやや広くしてヘッド３を収容し易くし、口縁部１０の下の抜け止め部１１の横幅を口縁部１０の幅よりも少し狭くして、収容空間９内に収容されたヘッドが不用意に抜け出ないようにしてある。収容空間９の前後方向の長さ（図３の矢印ａ、ｂ方向の長さ）はヘッド３の幅（打面の幅）とほぼ同等かそれより若干長くし、収容空間９の内空高さはヘッド３を収めることができる程度とすることが望ましい。クラブカバー１の形状は他の形状でもよく、例えば、ヘッド３の底面側をカバーできるように浅い舟形にすることもできる。いずれの場合も、クラブカバー１の前後両端部１ａ、１ｂの双方又はいずれか一方を上向きにして、クラブカバー１にヘッド３を収容してクラブカバー１を引きずってクラブカバー１及びヘッド３を移動させても、前記端部が地面（グラウンド）に接触せずにスムースに引くことができるようにしておくのがよい。クラブカバー１の材質は硬質又は軟質の樹脂、薄いステンレス板、他の金属板、樹脂製や金属製等の網材等とすることもでき、いずれの場合も変形しにくく、できるだけ軽量なものが望ましい。
【００１６】
ヘッドカバー１の底板の前後又はいずれか一方に板状の踏み部１４を設けてもよい。踏み部１４は靴で踏みやすい大きさとするのがよい。踏み部１４を靴で踏むとヘッドカバー１が地面や床に固定されるため、ヘッド３の出し入れが容易になる。
【００１７】
図１のヘッドカバーは収容空間９の前端面１ａと後端面１ｂが開口しているが、どちらか一方の端面又は両方の端面を閉塞して、収容空間９に収納されたヘッドがその閉塞端面から抜けないようにすることもできる。この場合、収容空間９に収容されたヘッド３を閉塞端面に当ててクラブのシャフト４を引けばヘッド３が収容空間９から抜けることなくヘッドカバー１と共に移動する。ヘッド３はヘッドカバー１の前記開口端面から横スライドさせて収容空間９に出し入れすることもできる。この場合は開口端面を先方に広げておいてヘッド３を出し入れし易くするのが望ましい。いずれにしても収容空間９の広さはそれに収容されたヘッド３が収容空間９内でガタつかず、ヘッド３の出し入れが容易な広さにするのがよい。
【００１８】
（実施形態１のクラブカバーの使用例）
本実施形態におけるクラブカバー１の使用例を以下に示す。
（１）競技者（プレイヤー）は、クラブカバー１を足元に置き、踏み部１４を踏んでクラブカバー１を安定させる。
（２）前記安定状態でグリップ５を握ってクラブ２を持ち、ヘッド３を開口部８から押し込んで収容空間９内に収納する。
（３）踏み部１４から足を離してクラブカバー１をフリーの状態にし、グリップ５を握ってクラブ２を引いてクラブ２をクラブカバー１ごと移動させる。この場合、クラブ２をカバー１の前後方向（図１の矢印ａ、ｂ）のいずれの方向に引くこともできるが、横方向（図１の矢印ａ、ｂと直交方向）に引くこともできる。
（４）目的の処までクラブ２を移動させたら、踏み部１４を足で踏んでクラブカバー１を安定させ、シャフト又はグリップを上方に引いてヘッド３を収容空間９、開口部８から抜き取って使用する。
【００１９】
（実施形態２）
本願発明のクラブカバーの実施形態として図２〜図４に示すものは、カバー本体６にその底よりも突出する車輪７を取付けてある。カバー本体６は実施形態１のヘッドカバー１と同様に開口部８と収容空間９を備えている。このカバー本体６の場合もヘッド３を上方から開口部８に押し込んで収容空間９まで押し込むことができ、収容空間９内のヘッドを開口部８から上方に引き出すことができる。
【００２０】
車輪７はカバー本体６の底面の長さ方向（前後方向）ほぼ中央に２輪設けられている。車輪７は車輪軸１２の両端に取り付けられている。車輪軸１２はカバー本体６の底に設けられた軸受け１３（図４）に回転自由に取り付けられている。この車輪７はカバー本体６の収容空間９内に収容されたクラブ２のシャフト４がプレイヤーに引かれることによって回転する。別途モータを取り付けてリモコン操作等で車輪７を回転させてもよい。通常は人力駆動とし、坂道などで適宜モータ駆動とさせることもできる。車輪７は必要であれば四輪とすることもそれ以上とすることでき、それら車輪は個別に回転可能であってもよい。
車輪７をカバー本体６の前後方向中央部に取り付けると、クラブカバー１を引いたときにカバー本体６が前傾してカバー本体６の前端部が地面に接触して引きにくくなるおそれがあるため、図３に仮想線で示すように、車輪７をカバー本体６の前端部寄りの位置に取り付けて地面に接触せずにスムースに引くことができるようにしておくのがよい。
【００２１】
図２〜図４のヘッドカバー１にも踏み部１４を設けてある。図２〜図４のように車輪軸１２をカバー本体６の底面の前後方向中央付近一箇所だけに設けてある場合、カバー本体６が天秤状となるので、カバー本体６の長手方向のいずれの方向に傾くか定まらないが、踏み部１４を踏むとカバー本体６は車輪軸１２を支軸として踏んだ方に下がり、その底面が地面や床等に接触して静止するので収容空間９へのクラブ２の出し入れ操作が容易となる。また、踏み部１４を踏むことでクラブカバー１は固定され姿勢が安定し、その状態でクラブ２の出し入れ操作ができるので出し入れ操作が一層し易くなる。踏み部１４は図１に示すようにカバー本体６の前後両方に設けることも、どちらか一方にだけ設けることもできるし、踏み部１４は不使用時にスライドさせて収容空間９内に収容させる構造とすることもできる。
【００２２】
（実施形態３）
本願発明のクラブカバーの実施形態３として図５、図６に示すクラブカバーも車輪付きであるが、この車輪１５は球状の車輪の場合である。この実施形態は車輪を１個だけ設けた場合であって基本的構造等は実施形態２と共通する。
【００２３】
実施形態２のように車輪７を円盤状にすると移動時に円滑な方向転換がしにくくなることがあり、その場合は、クラブカバー１を持ち上げたり、強制的にひねって方向転換したりする必要がある。これを改善するため図５、図６に示すクラブカバー１では、カバー本体６の底面に球状の車輪１５を取り付けてある。円盤状の車輪７は前後にのみ回転できるが、球状の車輪１５は１８０度いずれの方向にも回転できるので、これを取り付けたクラブカバー１も任意の方向へ容易に移動させることができる。
【００２４】
球状の車輪１５は図５、図６に示すようにカバー本体６の底面の前後左右方向ほぼ中央の一箇所に１８０度回転可能に取付けてある。この車輪１５には汎用の球状の車輪を使用することができる。図５、図６に示す球状の車輪１５はその上部に被せる下向き椀状の車輪カバー１６と回転軸１７を備え、回転軸１７に取り付けられている固定用ブラケット１８をビス、ボルト、釘、接着剤、磁石などの固定材でカバー本体６の底面に固定されている。車輪カバー１６は球状の車輪１５を遊嵌し得るサイズの半球形状と空間を備えており、車輪１５が脱落しないように半球よりも若干大きい（球形に近い）形状にしてある。
【００２５】
図５、図６では球状の車輪１５をカバー本体６の一個所に取り付けてあるが、カバー本体６の二箇所や三箇所、あるいはそれ以上の個所に取り付けてもよく、いずれの場合も全てを球状の車輪１５とすることで方向転換が容易となる。前記円盤状の車輪７の場合も、球状の車輪１５の場合も、それらは移動具本体６の側面とか他の個所に取り付けることもできる。
【００２６】
（実施形態２、３のクラブカバーの使用例）
本実施形態における車輪付きクラブカバー１の使用例を以下に示す。
（１）競技者（プレイヤー）は、クラブカバー１を足元に置き、自分の方に向いている踏み部１４を踏んでクラブカバー１をプレイヤーの方に傾けて安定させる。
（２）前記安定状態でグリップ５を握ってクラブ２を持ち、ヘッド３を開口部８から押し込んで収容空間９内に収納する。
（３）踏み部１４から足を離してクラブカバー１をフリーの状態にし、グリップ５を握ってクラブ２を引いて車輪７（１５）を回転させてクラブカバー１をクラブ２ごと移動させる。この場合、クラブ２を引っ張るのではなく押して移動させることもできる。
（４）目的の処までクラブ２を移動させたら、踏み部１４を足で踏んでカバー本体６を安定させてから、ヘッド３を上方に引いて収容空間９から引き上げ、開口部８から抜き取る。
【産業上の利用可能性】
【００２７】
本願発明のクラブカバーはグラウンドゴルフのクラブを移動する場合に限らず、ゴルフクラブやゲートボールのスティックを移動する場合などにも利用することができる。また、競技中に限らず、練習中、製造時、出火時、運送時、販売時などの様々な場面で利用することもできる。
【符号の説明】
【００２８】
１  クラブカバー
１ａ  クラブカバー前端部
１ｂ  クラブカバー後端部
２  クラブ
３  ヘッド
４  シャフト
５  グリップ
６  カバー本体
７  円盤状の車輪
８  開口部
９  収容空間
１０  口縁部
１１  抜け止め部
１２  車輪軸
１３  軸受け
１４  踏み部
１５  球状の車輪
１６  車輪カバー
１７  回転軸
１８  ブラケット
【図１】
2010268851.tif 000003
【図２】
2010268851.tif 000004
【図３】
2010268851.tif 000005
【図４】
2010268851.tif 000006
【図５】
2010268851.tif 000007
【図６】
2010268851.tif 000008
【手続補正書】
【提出日】平成21年7月22日(2009.7.22)
【手続補正１】
【補正対象書類名】明細書
【補正対象項目名】全文
【補正方法】変更
【補正の内容】
【発明の詳細な説明】
【技術分野】
【０００１】
本願発明は、グラウンドゴルフ用のクラブ、ゲートボール用スティック（以下これらをまとめて「クラブ」という。）の保護と移動（持ち運び）に便利なクラブカバーであり、プレイヤーが競技や練習でコースをラウンドするときに、クラブを引きずって歩いてもヘッドが損傷せず、移動も容易なクラブカバーに関するものである。
【背景技術】
【０００２】
グラウンドゴルフあるいはゲートボールは、幅広い年齢層が楽しむスポーツであり、我が国でも人気のあるスポーツの一つである。なかでもグラウンドゴルフは昭和５７年に鳥取県で発案された我が国発祥のスポーツであり、その親近感とともに気軽に楽しめるところから特に高齢者に人気がある。
【０００３】
グラウンドゴルフは、クラブとボールとホールポストを使用するスポーツであり、言うまでもなくこの競技を楽しむ者にとってクラブは重要な道具である。そこで、例えば特許文献１では、クラブを保管し容易に運搬できる収納具が提案されている。
【先行技術文献】
【特許文献】
【０００４】
【特許文献１】特開２００２−６５９２７号公報
【発明の概要】
【発明が解決しようとする課題】
【０００５】
グラウンドゴルフは、通常のゴルフ（以下単に「ゴルフ」という。）とは異なり通常１本のクラブのみを使い、８〜２０ホールを回って競技するスポーツである。競技中は、ホール間を移動するなど比較的長い距離を歩くことになるが、その際、ゴルフのように複数本のクラブをキャディーバッグに入れて移動することはなく１本のクラブを手に持って移動する。加えて、グラウンドゴルフに用いるクラブはゴルフクラブより重く（ゴルフクラブが３００ｇ程度に対してグラウンドゴルフのクラブは６００ｇ程度）、そのため高齢の競技者にとっては競技中にクラブを持っての移動は体力的な負担となっている。特許文献１は、構造を簡素にして、携行に適する軽量の収納器を実現することを目的としているが、シャフトを含むクラブ全体を収納し、さらには複数のボールも収納できるものであるため、大型で重く、競技中にクラブの移動に十分な軽量、携行容易とは言い難い。
【０００６】
本願発明の課題は、競技中にプレイヤーが移動する際、プレイヤーの体力的な負担を緩和すべく、容易にクラブを運搬（移動）させることができ、クラブヘッドを保護する機能を備えて、移動中のクラブの損傷を防止することができるクラブカバーを提供することにある。
【課題を解決するための手段】
【０００７】
本願発明のクラブカバーは、グラウンドゴルフ又はゲートボールで使用するクラブにカバーして、それらクラブを移動可能なクラブカバーであって、クラブのヘッドを出し入れ可能な開口部と、前記ヘッドを収納可能な収納空間を有するカバー本体に、開口部はカバー本体を地面や床面に置いて、クラブヘッドを上方から押し込みでき上方への引き抜きできるようにカバー本体の上方に上向きに開口され、開口部の口縁部はヘッドの押し込みが容易になるように外側広がりに形成され、収納空間は開口部から押し込まれたヘッドを収容できるように開口部に連通してカバー本体の内側下方に形成され、カバー本体はヘッドが収容空間内に押し込まれたクラブを引いて地面や床面の上を引きずってもヘッドから外れないようにしたものである。クラブカバーには車輪を取付けて、収容空間内にヘッドを収容したクラブのシャフトやグリップを手で握って歩行するとその車輪が回転してクラブカバーに収容された（クラブカバーを被せた）クラブを容易に移動可能とすることもできる。
【０００８】
本願発明のクラブカバーは、踏み部を設け、この踏み部を足で踏んでクラブカバーを地面、床等に固定することにより、クラブカバーの収容空間へのヘッドの出し入れを容易にすることもできる。
【発明の効果】
【０００９】
本願発明のクラブカバーは次のような効果がある。
（１）クラブのヘッドを押し込むだけでヘッドを収容する（ヘッドに被せる）事が出来るので、ヘッドを収容した（ヘッドに被せた）状態でクラブを引きずってもヘッドが損傷せず、ホール間の歩行時にクラブを手で持つ必要が無く、クラブの持ち運び（移動）が容易になる。
（２）車輪を取付けた場合は、ヘッドを収納空間に収納してクラブを引けば車輪が回転してクラブカバーが移動するので、クラブの移動がより一層容易になる。
（３）クラブのヘッドを出し入れ可能な開口部を備えているので、収納空間へのヘッドの出し入れが容易になる。
（４）クラブカバーが、ヘッドを収容できる大きさであればよいため小型化でき、携行や収納の邪魔になりにくいものとなる。
（５）踏み部を備えているので、踏み部を足で踏んでクラブカバーを地面や床に押し付ければ、クラブカバーの底に車輪が出ていてもクラブカバーが安定するため、ヘッドの出し入れがし易くなる。
【図面の簡単な説明】
【００１０】
【図１】本願発明のクラブカバーにクラブヘッドを出し入れする態様を示す斜視図。
【図２】本願発明の車輪付きクラブカバーにクラブヘッドを出し入れする態様を示す斜視図。
【図３】本願発明のクラブカバーの一例を示す斜視図。
【図４】図２のクラブカバーの正面図。
【図５】本願発明の車輪付きクラブカバーの他例であり、球状の車輪を取り付けた実施形態の斜視図。
【図６】図５のクラブカバーの正面図。
【発明を実施するための形態】
【００１１】
（実施形態１）
本願発明のクラブカバーの一実施形態を図に基づいて説明する。以下の実施形態ではグラウンドゴルフのクラブ用を例に挙げて説明しているが、ゲートボールのスティック用であっても基本構成は同様であり、形状、サイズが収容するクラブやスティックの形状に合わせて変わる程度である。
【００１２】
図１は本願発明のクラブカバー１からグラウンドゴルフのクラブ２を出し入れする態様を示す斜視図である。グラウンドゴルフは８〜２０ホールを回るスポーツで、通常は１本のクラブを使って全ホールをラウンドする。そのため、各ホール間を移動する際にわざわざクラブ２をキャリーバッグに入れることはなく、競技者がクラブ２を手で持って移動している。
【００１３】
グラウンドゴルフのクラブ２は、ボールを打つためのヘッド３と、シャフト４と、プレイヤーが握るためのグリップ５からなり、シャフト４やグリップ５の構造はゴルフクラブと大差ないが、ヘッド３の形状はゴルフクラブとは異なり、ルール上その打面に傾斜をつけられない。ゴルフクラブの重量が通常３００ｇ程度であるのに対して、グラウンドゴルフのクラブ２の重量は６００ｇを超えるものもあり、これを持って長距離歩行するのは高齢者にとっては体力的負担が大きい。本願発明のクラブカバー１を用いればクラブ２を引きながら移動できるので非常に楽であり体力的負担も軽減する。
【００１４】
クラブカバー１はヘッド３の出し入れを容易にする開口部８とヘッド３を収容するための収容空間９を備えている。図１は開口部８をカバーの上部に開口した例であり、ヘッド３を上方から開口部８に押し込んで収容空間９まで押し込むことができ、収容空間９内のヘッドを開口部８から上方に引き出すことができる。
【００１５】
クラブカバー１の形状はヘッド３の全体をカバーできる舟形にしてあり、開口部８の口縁部１０を外側広がりにしてヘッド３を押し込み易くし、収容空間９の幅をやや広くしてヘッド３を収容し易くし、口縁部１０の下の抜け止め部１１の横幅を口縁部１０の幅よりも少し狭くして、収容空間９内に収容されたヘッドが不用意に抜け出ないようにしてある。収容空間９の前後方向の長さ（図３の矢印ａ、ｂ方向の長さ）はヘッド３の幅（打面の幅）とほぼ同等かそれより若干長くし、収容空間９の内空高さはヘッド３を収めることができる程度とすることが望ましい。クラブカバー１の形状は他の形状でもよく、例えば、ヘッド３の底面側をカバーできるように浅い舟形にすることもできる。いずれの場合も、クラブカバー１の前後両端部１ａ、１ｂの双方又はいずれか一方を上向きにして、クラブカバー１にヘッド３を収容してクラブカバー１を引きずってクラブカバー１及びヘッド３を移動させても、前記端部が地面（グラウンド）に接触せずにスムースに引くことができるようにしておくのがよい。クラブカバー１の材質は硬質又は軟質の樹脂、薄いステンレス板、他の金属板、樹脂製や金属製等の網材等とすることもでき、いずれの場合も変形しにくく、できるだけ軽量なものが望ましい。
【００１６】
ヘッドカバー１の底板の前後又はいずれか一方に板状の踏み部１４を設けてもよい。踏み部１４は靴で踏みやすい大きさとするのがよい。踏み部１４を靴で踏むとヘッドカバー１が地面や床に固定されるため、ヘッド３の出し入れが容易になる。
【００１７】
図１のヘッドカバーは収容空間９の前端面１ａと後端面１ｂが開口しているが、どちらか一方の端面又は両方の端面を閉塞して、収容空間９に収納されたヘッドがその閉塞端面から抜けないようにすることもできる。この場合、収容空間９に収容されたヘッド３を閉塞端面に当ててクラブのシャフト４を引けばヘッド３が収容空間９から抜けることなくヘッドカバー１と共に移動する。ヘッド３はヘッドカバー１の前記開口端面から横スライドさせて収容空間９に出し入れすることもできる。この場合は開口端面を先方に広げておいてヘッド３を出し入れし易くするのが望ましい。いずれにしても収容空間９の広さはそれに収容されたヘッド３が収容空間９内でガタつかず、ヘッド３の出し入れが容易な広さにするのがよい。
【００１８】
（実施形態１のクラブカバーの使用例）
本実施形態におけるクラブカバー１の使用例を以下に示す。
（１）競技者（プレイヤー）は、クラブカバー１を足元に置き、踏み部１４を踏んでクラブカバー１を安定させる。
（２）前記安定状態でグリップ５を握ってクラブ２を持ち、ヘッド３を開口部８から押し込んで収容空間９内に収納する。
（３）踏み部１４から足を離してクラブカバー１をフリーの状態にし、グリップ５を握ってクラブ２を引いてクラブ２をクラブカバー１ごと移動させる。この場合、クラブ２をカバー１の前後方向（図１の矢印ａ、ｂ）のいずれの方向に引くこともできるが、横方向（図１の矢印ａ、ｂと直交方向）に引くこともできる。
（４）目的の処までクラブ２を移動させたら、踏み部１４を足で踏んでクラブカバー１を安定させ、シャフト又はグリップを上方に引いてヘッド３を収容空間９、開口部８から抜き取って使用する。
【００１９】
（実施形態２）
本願発明のクラブカバーの実施形態として図２〜図４に示すものは、カバー本体６にその底よりも突出する車輪７を取付けてある。カバー本体６は実施形態１のヘッドカバー１と同様に開口部８と収容空間９を備えている。このカバー本体６の場合もヘッド３を上方から開口部８に押し込んで収容空間９まで押し込むことができ、収容空間９内のヘッドを開口部８から上方に引き出すことができる。
【００２０】
車輪７はカバー本体６の底面の長さ方向（前後方向）ほぼ中央に２輪設けられている。車輪７は車輪軸１２の両端に取り付けられている。車輪軸１２はカバー本体６の底に設けられた軸受け１３（図４）に回転自由に取り付けられている。この車輪７はカバー本体６の収容空間９内に収容されたクラブ２のシャフト４がプレイヤーに引かれることによって回転する。別途モータを取り付けてリモコン操作等で車輪７を回転させてもよい。通常は人力駆動とし、坂道などで適宜モータ駆動とさせることもできる。車輪７は必要であれば四輪とすることもそれ以上とすることでき、それら車輪は個別に回転可能であってもよい。
車輪７をカバー本体６の前後方向中央部に取り付けると、クラブカバー１を引いたときにカバー本体６が前傾してカバー本体６の前端部が地面に接触して引きにくくなるおそれがあるため、図３に仮想線で示すように、車輪７をカバー本体６の前端部寄りの位置に取り付けて地面に接触せずにスムースに引くことができるようにしておくのがよい。
【００２１】
図２〜図４のヘッドカバー１にも踏み部１４を設けてある。図２〜図４のように車輪軸１２をカバー本体６の底面の前後方向中央付近一箇所だけに設けてある場合、カバー本体６が天秤状となるので、カバー本体６の長手方向のいずれの方向に傾くか定まらないが、踏み部１４を踏むとカバー本体６は車輪軸１２を支軸として踏んだ方に下がり、その底面が地面や床等に接触して静止するので収容空間９へのクラブ２の出し入れ操作が容易となる。また、踏み部１４を踏むことでクラブカバー１は固定され姿勢が安定し、その状態でクラブ２の出し入れ操作ができるので出し入れ操作が一層し易くなる。踏み部１４は図１に示すようにカバー本体６の前後両方に設けることも、どちらか一方にだけ設けることもできるし、踏み部１４は不使用時にスライドさせて収容空間９内に収容させる構造とすることもできる。
【００２２】
（実施形態３）
本願発明のクラブカバーの実施形態３として図５、図６に示すクラブカバーも車輪付きであるが、この車輪１５は球状の車輪の場合である。この実施形態は車輪を１個だけ設けた場合であって基本的構造等は実施形態２と共通する。
【００２３】
実施形態２のように車輪７を円盤状にすると移動時に円滑な方向転換がしにくくなることがあり、その場合は、クラブカバー１を持ち上げたり、強制的にひねって方向転換したりする必要がある。これを改善するため図５、図６に示すクラブカバー１では、カバー本体６の底面に球状の車輪１５を取り付けてある。円盤状の車輪７は前後にのみ回転できるが、球状の車輪１５は１８０度いずれの方向にも回転できるので、これを取り付けたクラブカバー１も任意の方向へ容易に移動させることができる。
【００２４】
球状の車輪１５は図５、図６に示すようにカバー本体６の底面の前後左右方向ほぼ中央の一箇所に１８０度回転可能に取付けてある。この車輪１５には汎用の球状の車輪を使用することができる。図５、図６に示す球状の車輪１５はその上部に被せる下向き椀状の車輪カバー１６と回転軸１７を備え、回転軸１７に取り付けられている固定用ブラケット１８をビス、ボルト、釘、接着剤、磁石などの固定材でカバー本体６の底面に固定されている。車輪カバー１６は球状の車輪１５を遊嵌し得るサイズの半球形状と空間を備えており、車輪１５が脱落しないように半球よりも若干大きい（球形に近い）形状にしてある。
【００２５】
図５、図６では球状の車輪１５をカバー本体６の一個所に取り付けてあるが、カバー本体６の二箇所や三箇所、あるいはそれ以上の個所に取り付けてもよく、いずれの場合も全てを球状の車輪１５とすることで方向転換が容易となる。前記円盤状の車輪７の場合も、球状の車輪１５の場合も、それらは移動具本体６の側面とか他の個所に取り付けることもできる。
【００２６】
（実施形態２、３のクラブカバーの使用例）
本実施形態における車輪付きクラブカバー１の使用例を以下に示す。
（１）競技者（プレイヤー）は、クラブカバー１を足元に置き、自分の方に向いている踏み部１４を踏んでクラブカバー１をプレイヤーの方に傾けて安定させる。
（２）前記安定状態でグリップ５を握ってクラブ２を持ち、ヘッド３を開口部８から押し込んで収容空間９内に収納する。
（３）踏み部１４から足を離してクラブカバー１をフリーの状態にし、グリップ５を握ってクラブ２を引いて車輪７（１５）を回転させてクラブカバー１をクラブ２ごと移動させる。この場合、クラブ２を引っ張るのではなく押して移動させることもできる。
（４）目的の処までクラブ２を移動させたら、踏み部１４を足で踏んでカバー本体６を安定させてから、ヘッド３を上方に引いて収容空間９から引き上げ、開口部８から抜き取る。
【産業上の利用可能性】
【００２７】
本願発明のクラブカバーはグラウンドゴルフのクラブを移動する場合に限らず、ゴルフクラブやゲートボールのスティックを移動する場合などにも利用することができる。また、競技中に限らず、練習中、製造時、出火時、運送時、販売時などの様々な場面で利用することもできる。
【符号の説明】
【００２８】
１  クラブカバー
１ａ  クラブカバー前端部
１ｂ  クラブカバー後端部
２  クラブ
３  ヘッド
４  シャフト
５  グリップ
６  カバー本体
７  円盤状の車輪
８  開口部
９  収容空間
１０  口縁部
１１  抜け止め部
１２  車輪軸
１３  軸受け
１４  踏み部
１５  球状の車輪
１６  車輪カバー
１７  回転軸
１８  ブラケット
【手続補正２】
【補正対象書類名】特許請求の範囲
【補正対象項目名】全文
【補正方法】変更
【補正の内容】
【特許請求の範囲】
【請求項１】
グラウンドゴルフ又はゲートボールで使用するクラブにカバーして、それらクラブを移動可能なクラブカバーであって、クラブのヘッドを出し入れ可能な開口部と、前記ヘッドを収納可能な収納空間を有するカバー本体に、開口部はカバー本体を地面や床面に置いて、クラブヘッドを上方からの押し込みと上方への引き抜きができるようにカバー本体の上方に上向きに開口され、開口部の口縁部はヘッドの押し込みが容易になるように外側広がりに形成され、収納空間は開口部から押し込まれたヘッドを収容できるように開口部に連通してカバー本体の内側下方に形成され、カバー本体はヘッドが収容空間内に押し込まれたクラブを引いて地面や床面の上を引きずってもヘッドから外れないようにしたことを特徴とするクラブカバー。
【請求項２】
グラウンドゴルフ又はゲートボールで使用するクラブにカバーして、それらクラブを移動可能なクラブカバーであって、クラブのヘッドを出し入れ可能な開口部と、前記ヘッドを収納可能な収納空間を有するカバー本体に、底面に突出する車輪を備えたことを特徴とするクラブカバー。
【請求項３】
グラウンドゴルフ又はゲートボールで使用するクラブにカバーして、それらクラブを移動可能なクラブカバーであって、クラブのヘッドを出し入れ可能な開口部と、前記ヘッドを収納可能な収納空間を有するカバー本体に、踏み部を備え、踏み部を踏むことでカバー本体が地面や床面に固定されることを特徴とするクラブカバー。